(57)【要約】【課題】  認証情報の入力の容易化と、セキュリティの確保とを両立させた認証技術を提供する。【解決手段】  通信回線を介して送信端末及び受信端末と接続する認証装置が、前記送信端末からメッセージを受信し、前記送信端末から認証情報を受信し、該メッセージを該認証情報と対応つけて登録し、前記受信端末から該メッセージを取得する旨の要求を受信し、前記受信端末から受信した認証情報と前記登録した認証情報とに基づいて認証するか否かを決定し、該認証をした場合に、前記メッセージを当該受信端末へ送信する。【選択図】    図１
2007049343.tif 000002
【特許請求の範囲】
【請求項１】
通信回線を介して接続する、送信端末、受信端末、認証装置を有する認証システムであって、
前記送信端末が、
前記認証装置にメッセージを送信して登録させるメッセージ送信手段と、
複数の情報を蓄積した情報蓄積手段と、
前記メッセージにアクセスするための認証情報として前記情報蓄積手段から任意の情報を選択する選択手段と、
前記認証情報を前記認証装置に送信する認証情報送信手段と、を備え、
前記認証装置が、
前記送信端末からメッセージを受信するメッセージ受信手段と、
前記送信端末から認証情報を受信する認証情報受信手段と、
該メッセージと該認証情報とを対応つけて登録する登録手段と、
前記受信端末から該メッセージを取得する旨の要求を受信する要求受信手段と、
前記受信端末から受信した認証情報と前記登録手段に登録された認証情報とに基づいて認証するか否かを決定する認証手段と、
該認証手段で認証された場合に、前記メッセージを当該受信端末へ送信するメッセージ送信手段と、を備え、
前記受信端末が、
前記メッセージの取得を要求するメッセージ要求手段と、
該メッセージを取得するための認証情報を認証装置に送信する認証情報送信手段と、
該認証装置メッセージを受信するメッセージ受信手段と、
を備えた認証システム。
【請求項２】
通信回線を介して認証装置と接続する送信端末であって、
前記認証装置にメッセージを送信して登録させるメッセージ送信手段と、
複数の情報を蓄積した情報蓄積手段と、
前記メッセージにアクセスするための認証情報として前記情報蓄積手段から任意の情報を選択する選択手段と、
前記認証情報を前記認証装置に送信する認証情報送信手段と、
を備えた送信端末。
【請求項３】
通信回線を介し、送信端末及び受信端末と接続する認証装置であって、
前記送信端末からメッセージを受信するメッセージ受信手段と、
前記送信端末から認証情報を受信する認証情報受信手段と、
該メッセージを該認証情報と対応つけて登録する登録手段と、
前記受信端末から該メッセージを取得する旨の要求を受信する要求受信手段と、
前記受信端末から受信した認証情報と前記登録手段に登録された認証情報とに基づいて認証するか否かを決定する認証手段と、
該認証手段で認証された場合に、前記メッセージを当該受信端末へ送信するメッセージ送信手段と、
を備えた認証装置。
【請求項４】
通信回線を介して送信端末及び受信端末と接続する認証装置が実行する方法であって、
前記送信端末からメッセージを受信するステップと、
前記送信端末から認証情報を受信するステップと、
該メッセージを該認証情報と対応つけて登録するステップと、
前記受信端末から該メッセージを取得する旨の要求を受信するステップと、
前記受信端末から受信した認証情報と前記登録した認証情報とに基づいて認証するか否
かを決定するステップと、
該認証をした場合に、前記メッセージを当該受信端末へ送信するステップと、
を含む認証方法。
【請求項５】
通信回線を介して送信端末及び受信端末と接続する認証装置が実行するプログラムであって、
前記送信端末からメッセージを受信するステップと、
前記送信端末から認証情報を受信するステップと、
該メッセージを該認証情報と対応つけて登録するステップと、
前記受信端末から該メッセージを取得する旨の要求を受信するステップと、
前記受信端末から受信した認証情報と前記登録した認証情報とに基づいて認証するか否かを決定するステップと、
該認証をした場合に、前記メッセージを当該受信端末へ送信するステップと、
を含む認証プログラム。
【発明の詳細な説明】
【技術分野】
【０００１】
本発明は、通信回線を介してメッセージを提供する際の認証技術に関する。
【背景技術】
【０００２】
近年、携帯電話に代表される無線端末装置は、多機能化しており、端末のユーザに関する多くの情報を管理出来るようになってきた。ここで管理される情報のひとつに端末の位置情報があり、現在、この位置情報を他者に対して開示するサービスが実現されている。端末の位置情報は、該端末を携帯するユーザの個人的な情報となるため、該位置情報の開示を要求する者の認証を行い、認証した特定の者にだけ位置情報を開示するようにアクセス制御を行う必要がある。現在実用化されている認証方法としては、ＩＤとパスワードを使う方法が一般的である。このため、情報の提供者と要求者の双方がＩＤとパスワードを管理する必要があった。
【０００３】
このＩＤとパスワードを用いた認証の場合、情報の提供者側が携帯端末であると、前記ＩＤやパスワードといった情報の要求者を認証するための情報の入力が非常に煩わしいという問題点があった。このため、簡易な操作で情報を入力でき、且つ、強固なセキュリティが実現可能な認証技術が求められている。
【０００４】
一方、情報の登録者が、開示する情報と、該開示を許可する者のメールアドレスと氏名をサーバに登録しておき、該情報の要求者の端末から該サーバに情報の開示を要求した場合、該要求者の氏名及びメールアドレスが予め登録されているか否かによって該開示要求が正当か否か判断する個人情報開示システムが提案されている(特許文献１)。
【特許文献１】特開２００２−４１５２２号公報
【発明の開示】
【発明が解決しようとする課題】
【０００５】
前述のように認証のための情報として要求者のメールアドレスや氏名を使用する場合、電子メール用のアプリケーションのデータを流用するなど、入力を容易にすることが出来るが、認証情報を他人に知られる可能性が高い。従って強固なセキュリティを実現することは困難と考えられる。
【０００６】
そこで本発明では、認証情報の入力の容易化と、強固なセキュリティの確保とを両立させる認証技術の実現を目的としている。
【課題を解決するための手段】
【０００７】
上記課題を解決するため、本発明は、以下の構成を採用した。
【０００８】
即ち、本発明の認証システムは、
通信回線を介して接続する、送信端末、受信端末、認証装置を有するシステムであって、
前記送信端末が、
前記認証装置にメッセージを送信して登録させるメッセージ送信手段と、
複数の情報を蓄積した情報蓄積手段と、
前記メッセージにアクセスするための認証情報として前記情報蓄積手段から任意の情報を選択する選択手段と、
前記認証情報を前記認証装置に送信する認証情報送信手段と、を備え、
前記認証装置が、
前記送信端末からメッセージを受信するメッセージ受信手段と、
前記送信端末から認証情報を受信する認証情報受信手段と、
該メッセージと該認証情報とを対応つけて登録する登録手段と、
前記受信端末から該メッセージを取得する旨の要求を受信する要求受信手段と、
前記受信端末から受信した認証情報と前記登録手段に登録された認証情報とに基づいて認証するか否かを決定する認証手段と、
該認証手段で認証された場合に、前記メッセージを当該受信端末へ送信するメッセージ送信手段と、を備える。
【０００９】
前記受信端末は、前記メッセージの取得を要求するメッセージ要求手段と、該メッセージを取得するための認証情報を認証装置に送信する認証情報送信手段と、該認証装置メッセージを受信するメッセージ受信手段と、を備えても良い。
【００１０】
前記送信端末が、前記認証情報を更新するための更新情報を前記認証装置に送信する更新手段を備え、前記認証装置が、前記登録手段に登録されている認証情報を前記更新情報に基づいて更新する更新手段を備えても良い。
【００１１】
前記登録手段に登録した認証情報に対し、前記受信端末から受信した認証情報が不足している場合に、前記認証情報の追加を前記受信端末に要求する追加要求手段を前記認証装置が備えても良い。
【００１２】
前記受信端末が、許可要求信号を前記認証装置に送信する許可要求手段を備え、
前記送信端末が、前記許可要求信号を認証装置から受信する許可要求受信手段と、前記受信端末の認証を許可する許可信号を認証装置に送信する許可通知手段とを備え、
前記認証装置が、前記受信端末からの許可要求信号を送信端末に転送する許可要求転送手段を備え、前記認証手段が前記送信端末から許可信号を受信した場合に前記受信端末によるメッセージの取得を認証しても良い。
【００１３】
前記送信端末が、前記情報蓄積手段に複数項目の情報を蓄積し、該情報として項目名と項目内容を有し、前記認証情報送信手段が前記認証情報として少なくとも該項目名を認証装置に送信し、前記認証装置が、前記項目名に基づいて前記受信端末に認証情報を要求する認証情報要求手段を備えても良い。
【００１４】
また、本発明の認証方法は、通信回線を介して送信端末及び受信端末と接続する認証装置が実行する方法であって、
前記送信端末からメッセージを受信するステップと、
前記送信端末から認証情報を受信するステップと、
該メッセージを該認証情報と対応つけて登録するステップと、
前記受信端末から該メッセージを取得する旨の要求を受信するステップと、
前記受信端末から受信した認証情報と前記登録した認証情報とに基づいて認証するか否かを決定するステップと、
該認証をした場合に、前記メッセージを当該受信端末へ送信するステップとを含む。
【００１５】
前記認証方法は、前記認証情報を更新するための更新情報を前記送信端末から受信した場合に、前記登録されている認証情報を前記更新情報に基づいて更新しても良い。
【００１６】
また、前記登録した認証情報に対し、前記受信端末から受信した認証情報が不足している場合に、前記認証情報の追加を前記受信端末に要求しても良い。
【００１７】
前記受信端末から許可要求信号を受信した場合に、該許可要求信号を送信端末に転送し
、前記送信端末から、前記受信端末の認証を許可する許可信号を受信した場合に、前記認証手段が前記受信端末によるメッセージの取得を認証しても良い。
【００１８】
前記送信端末から前記認証情報として少なくとも項目名を受信した場合に、前記項目名に基づいて前記受信端末に認証情報を要求しても良い。
【００１９】
また、本発明は、上記認証方法をコンピュータに実行させるプログラムであっても良い。更に、本発明は、このプログラムをコンピュータが読み取り可能な記録媒体に記録したものであっても良い。コンピュータに、この記録媒体のプログラムを読み込ませて実行させることにより、その機能を提供させることができる。
【００２０】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００２１】
また、コンピュータに固定された記録媒体としてハードディスクやＲＯＭ（リードオンリーメモリ）等がある。
【発明の効果】
【００２２】
本発明によれば、認証情報の入力の容易化と、セキュリティの確保とを両立させた認証技術を提供できる。
【発明を実施するための最良の形態】
【００２３】
〈実施形態１〉
図１は、本発明に係る認証システムの概念図、図２は、本実施形態の概略構成図である。本例の認証システム１００は、無線電話回線やインターネット等の通信回線を介して接続する送信端末１０１や認証装置１０２、受信端末１０３を有している。
【００２４】
送信端末１０１が、任意のテキストや位置情報等のメッセージを認証装置１０２に登録し、認証装置１０２が該メッセージの開示を要求する受信端末１０３の認証を行い、認証した受信端末１０３に該メッセージを開示する。
【００２５】
ここで、送信端末１０１は、アドレス帳等から任意の情報を選択して認証情報として送信することができ、認証装置１０２は、この任意に選択された情報に基づいて認証を行う。これにより、本発明の認証システムは、送信端末１０１における認証情報の入力を容易にし、且つ高いセキュリティを確保できるようにしている。
【００２６】
§送信端末
送信端末１０１は、ＣＰＵ（central processing unit）等の演算処理手段や、演算処
理の為のデータ及びソフトウェアを記憶した記憶手段（ハードディスク、不揮発性ＲＡＭ等）、キーボード（操作ボタン等）やタッチパネル（データ選択操作手段５）等の入力手段、表示装置（データ表示手段）４やスピーカといった出力手段、通信制御手段等を備えた一般的なコンピュータ（情報処理装置）である。また、本実施形態では、ノート型パーソナルコンピュータや、ＰＤＡ(personal digital assistant)、携帯電話といった入力手段や表示装置の大きさ等が制約される携帯端末であっても、認証情報の入力が容易であるので、送信端末１０１として好適に使用できる。
【００２７】
前記記憶手段には、オペレーティングシステム（ＯＳ）やアプリケーションプログラム
（認証情報送信用プログラム）がインストールされている。また、該記憶手段は、入力手段から入力されたメッセージを一時的に記憶するメッセージバッファ１や、他のユーザの情報を複数蓄積した情報蓄積手段（電話帳データ記憶手段）３としても機能している。図４は、この電話帳データの一例を示す図である。この図４に示すように本実施形態では、電話帳登録データとして、名前、グループ、登録番号、電話番号等、メールアドレス、メモなど、複数人についての複数項目の情報を記憶している。
【００２８】
通信制御手段は、無線ＬＡＮ、Bluetooth（登録商標）、ＲＦタグ等の通信インターフ
ェースを適宜備えて他のコンピュータとの通信を制御する。
【００２９】
演算処理手段は、前記ＯＳやアプリケーションプログラムを記憶手段から適宜読み出して実行し、入力手段や通信制御手段から入力された情報、記憶手段からから読み出した情報を演算処理することにより、メッセージ送信手段２や、選択手段（認証情報選択手段）６、認証情報送信手段として機能する。
【００３０】
このメッセージ送信手段２としては、前記認証装置１０２にメッセージを送信して登録させる。任意のテキストや画像、動画、位置情報など、通信回線を介して送信できる情報であれば良い。また、このメッセージは、送信端末１０１が作成するものに限らず、位置情報のように、送信端末１０１が接続している基地局または該基地局からの信号を取得した認証装置１０２等がセルベース測位方式または複数基地局測位方式によって作成した情報であっても良い。即ち、メッセージ送信手段から送信した指示に応じ、他のコンピュータが作成した情報を認証装置１０２に登録させるものでも良い。
【００３１】
選択手段６としては、ユーザによるデータ選択操作手段５の操作に応じ、前記電話帳データ記憶手段３から認証情報として電話番号、氏名、メールアドレスなどの任意の情報を選択する。
【００３２】
認証情報送信手段７としては、前記認証情報を前記認証装置１０２に送信する。
【００３３】
§認証装置１０２
認証装置１０２は、ＣＰＵ（central processing unit）等の演算処理部や、演算処理
の為のデータやソフトウェアを記憶した記憶手段（ハードディスク）、他のコンピュータとの通信を制御する通信制御手段を備えた一般的なコンピュータ（情報処理装置）である。
【００３４】
前記記憶手段には、オペレーティングシステム（ＯＳ）やアプリケーションプログラム（認証プログラム）がインストールされている。該記憶手段は、送信端末から受信したメッセージを記憶するメッセージバッファ１１や、該メッセージと対応する認証情報を登録する登録手段（認証情報バッファ）１７としても機能している。
【００３５】
演算処理手段は、前記ＯＳやアプリケーションプログラムを記憶手段から適宜読み出して実行し、通信制御手段から入力された情報や、記憶手段からから読み出した情報を演算処理することにより、メッセージ受信手段８や、認証情報受信手段９、登録手段、要求受信手段１０、認証手段１２、メッセージゲートウェイ１３、メッセージ送信手段１４として機能する。
【００３６】
メッセージ受信手段８としては、前記送信端末１０１からメッセージを受信して、メッセージバッファ１１に記憶させ、認証情報受信手段９としては、前記送信端末１０１から認証情報を受信して認証情報バッファ１７に記憶させる。
【００３７】
登録手段としては、該メッセージと該認証情報とを対応つけて記憶手段に登録する。本実施形態では、前記メッセージ受信手段８と認証情報受信手段９がこの登録手段を兼ねており、前記メッセージと認証情報に該対応関係を示す情報を負荷して、メッセージバッファ１１と該認証情報バッファ１７のそれぞれに記憶させている。
【００３８】
要求受信手段１０としては、前記受信端末１０３から該メッセージを取得する旨の要求を受信する。
【００３９】
認証手段１２としては、前記受信端末から受信した認証情報と前記登録手段に登録された認証情報とに基づいて認証するか否かを決定する。
【００４０】
メッセージ送信手段１４としては、前記受信端末１０３からのメッセージ取得要求が該認証手段１２で認証された場合に、前記メッセージを当該受信端末１０３へ送信する。
【００４１】
§受信端末
受信端末１０３は、ＣＰＵ（central processing unit）等の演算処理部や、演算処理
の為のデータやソフトウェアを記憶した記憶手段（ハードディスク）、キーボード（操作ボタン等）やタッチパネルといった入力手段３５、表示装置３６やスピーカといった出力手段、通信制御手段等を備えた一般的なコンピュータ（情報処理装置）である。また、本実施形態では、ノート型パーソナルコンピュータや、ＰＤＡ(personal digital assistant)、携帯電話といった入力手段や表示装置の大きさ等が制約される携帯端末であっても、認証情報の入力が容易であるので、受信装置１０３として好適に使用できる。
【００４２】
前記記憶手段には、オペレーティングシステム（ＯＳ）やアプリケーションプログラム（認証情報送信用プログラム）がインストールされている。また、ユーザの情報を予め記憶した基本情報記憶手段３２としても機能している。
【００４３】
演算処理手段は、前記ＯＳやアプリケーションプログラムを記憶手段から適宜読み出して実行し、通信制御手段から入力された情報や、記憶手段からから読み出した情報を演算処理することにより、認証要求送信手段（メッセージ要求手段及び認証情報送信手段に相当する）３３、メッセージ受信手段３４としても機能する。
【００４４】
認証要求送信手段３３としては、前記メッセージの取得を認証装置１０２に要求し、また、該メッセージを取得するための認証情報を認証装置１０２に送信する。
【００４５】
メッセージ受信手段３４としては、該メッセージを認証装置１０２から受信し、表示装置に表示させる。また、適宜、該メッセージを記憶手段に記憶させる。
【００４６】
§認証方法
次に、これらのシステム１００における認証方法について説明する。図３は、メッセージ提供者の現在地情報を提供する場合を示している。
【００４７】
先ず、メッセージ提供者の操作により、送信端末１０１のメッセージ送信手段、メッセージＭ１を認証装置１０２へ送信する（ステップ１、以下Ｓ１のように略記する）。このメッセージＭ１は、「今から帰る」等のように、任意のテキストをデータ選択操作手段５から入力しても良いし、送信端末１０１が自動的に送信する情報であっても良い。例えば、送信端末１０１が無線ＬＡＮに接続している場合、どのアクセスポイントに接続しているのかを検出し、このアクセスポイントについて予め設定しておいた位置情報（会社、学校、駅）を認証装置１０２へ送信する。
【００４８】
また、送信端末１０１は、該メッセージを取得するための認証情報Ｃ１を認証装置１０２に送信する（Ｓ２）。例えば送信端末１０１は、前記メッセージを送信した際に、電話帳データを読み出して図４に示すように認証情報の選択画面を表示する。メッセージ提供者が操作手段５の操作により、任意のデータを選択すると、送信端末１０１は、該選択されたデータを認証情報送信手段認証装置１０２へ送信する。図４では、各項目の先頭（左端）に設けたボックスをチェックすることで選択しており、選択状態のボックス５１の項目、即ち名前、電話番号１、メール１、メモ１が、認証情報Ｃ１として送信される。
【００４９】
認証装置１０２は、メッセージ受信手段８により前記メッセージを受信すると、該メッセージをメッセージバッファ１１に記憶する（Ｓ３）。また、認証装置１０２は、認証情報受信手段３１により前記認証情報Ｃ１を受信すると、該認証情報Ｃ１を前記メッセージと対応付けてメッセージバッファ１７に登録する（Ｓ４）。
【００５０】
そして、メッセージ要求者が前記メッセージ要求の操作を行うと、受信端末１０３は、認証要求送信手段３３により、基本情報記憶手段３２からユーザの基本情報（名前、電話番号、メモ等）を読み出し、この基本情報を認証情報Ｅ１として認証装置１０２に送信し、前記メッセージ取得を要求する（Ｓ５）。
【００５１】
これに応じ認証装置１０２の認証手段１２は、前記受信端末１０３から受信した認証情報Ｅ１と、前記登録手段に登録された認証情報Ｃ１とに基づいて認証するか否かを決定する（Ｓ６）。本例では、双方の認証情報が一致した場合に認証する。ここで受信端末１０３から認証情報Ｅ１として送信する項目は、予めメッセージ提供者との間で取り決めておいても良いし、情報蓄積手段の全ての項目、本例では名前、グループ、登録番号、電話番号１、電話番号２、メール１、メール２、メモ１、メモ２を送信し、認証装置１０２が必要な項目のみを使用することとしても良い。
【００５２】
例えば図４の設定では、「名前 AND 電話番号１ AND メール１ AND メモ１」が、認証
の条件となるので、受信端末１０３から認証情報Ｅ１として「富士 太郎，090-1234-5678，fujitsu.taro@docomo.ne.jp，神奈川県川崎市光の１−２−３」を受信した場合、認証
装置１０２は、双方の認証情報が一致したと判断し、認証する。
【００５３】
この場合の一致とは、双方の認証情報が厳密に同じ場合に限らず、表記の揺れを許容しても良い。例えば、大文字と小文字の違いや、アラビア数字とローマ数字の違いを無視する。また、名前のスペースで区切られた前後の部分を氏、名として判別し、氏或は名が同じであれば一致と見なす。町名と番地が同じであれば、都道府県名が省略されていても一致とするなど、実質的に同じ内容であれば認証するように、所定条件を満たせば一致としても良い。
【００５４】
認証手段１２は、前記認証情報が一致し、認証した場合に認証許可信号をメッセージゲートウェイ１３に出力する。メッセージゲートウェイ１３は、メッセージバッファ１１から当該メッセージＭ１を読み出し（Ｓ７）、メッセージ送信手段１４に伝達する（Ｓ８）。
【００５５】
メッセージ送信手段１４は、該メッセージゲートウェイ１３からのメッセージＭ１を前記メッセージ要求者に対して送信する（Ｓ９）。
【００５６】
そして、メッセージ要求者の受信端末１０３は、該メッセージＭ１をメッセージ受信手段３４によって受信し、メッセージ表示手段３６に表示してメッセージ要求者に提示する。
【００５７】
また、認証装置１０２に登録されたメッセージは、随時更新可能である。このメッセージの更新は、前述と同様にメッセージ提供者が任意のテキストを入力しても良いし、送信端末や認証装置１０２が検出した情報に基づいて自動的に更新しても良い。例えば、電車に乗るため、送信端末１０１のＲＦタグの情報を自動改札機に送信することによって自動的に改札を行うシステムを利用した場合、通信制御手段は、該自動改札機との通信により、何処の駅の改札を通ったのかを検出し、この検出した改札情報をメッセージバッファ１に出力する。メッセージ送信手段２は、この改札情報をメッセージＭ２として認証装置１０２に送信し、メッセージを更新させる。
【００５８】
また、送信端末１０１の通信制御手段は、無線ＬＡＮによる通信を行っている場合、接続しているアクセスポイントの情報を取得し、所定のアクセスポイントに接続した場合、或は所定のアクセスポイントとの接続が終了した場合、これに応じたメッセージをメッセージバッファ１に出力する。例えば、職場のＬＡＮに接続した際に「出社」、職場のＬＡＮとの接続が終了した際に「退社」、電車内のＬＡＮに接続した際に「乗車中」、電車内のＬＡＮとの接続が終了した際に「下車」、自宅のＬＡＮに接続した際に「在宅中」等のメッセージを出力する。なお、どのアクセスポイントと接続した場合にどのメッセージを出力するか、どのアクセスポイントとの接続が終了した場合にどのメッセージを出力するのかは、予めこれらのアクセスポイントの識別情報とメッセージとの対応関係を設定しておく。図３では、電車に乗車した情報（乗車情報）をメッセージＭ３として認証装置１０２に送信し、帰宅した情報（帰宅情報）をメッセージＭ４として認証装置１０２に送信している。
【００５９】
これにより認証装置１０２は、メッセージバッファ１１のメッセージを随時更新し、メッセージ要求者に対して最新のメッセージ（位置情報）を提供することができる。
【００６０】
なお、前記メッセージの作成は、認証装置１０２が行っても良い。例えば、乗車情報（メッセージＭ３により）により乗車した電車が特定できる場合、放送波やインターネット等で提供される時刻表や事故・遅れなどの情報を受信し、当該電車について事故や遅れが生じた場合、この情報に基づいて「○○号車、３０分遅れ、００：００最寄り駅到着予定」等のメッセージを作成し、メッセージバッファ１１のメッセージＭ３を更新する。なお、メッセージ提供者の最寄り駅や、通勤経路、自宅位置など、運行情報の他にメッセージの作成に必要な個人情報は予め認証装置１０２の記憶手段に記憶させておく。
【００６１】
§本実施形態の効果
従来技術では，ＩＤとパスワードによる認証を行っていたため、メッセージの提供者と要求者の双方がＩＤとパスワードの管理を行う必要があった。また、メッセージの提供者の都合により一時的に特定の要求者のみにメッセージを開示したい場合などに対応が不可能であった。
【００６２】
本実施形態では、もともと携帯端末に内蔵されている電話帳のデータのうち、メッセージの提供者が自由に複数の情報を認証用の鍵として選択して使用することが出来ることから、基本的にＩＤやパスワードの管理を簡易化、あるいは不要にすることが出来る。また、電話帳表示画面でメッセージ提供のための許可条件を自在に変更することが出来る構成にすることにより、フレキシブルで緻密なメッセージ提供サービスを実現することが出来る。
【００６３】
従って、本システム１００では、送信端末１０１及び受信端末１０３における認証情報の入力を選択操作によって簡単に行うことができる。且つ、本システム１００は、複数の情報のうち、任意に選択した一つ或は複数の情報を認証情報とするので、従来技術のようにメールアドレス等に固定されず、セキュリティを確保できる。
【００６４】
〈実施形態２〉
図５は、本発明に係る実施形態２の概略図である。本実施形態は、前述の実施形態１と比べ、登録済みのメッセージの認証情報を更新するために、送信端末から認証装置に認証情報の更新を通知する構成が異なっており、その他の構成は同じである。本実施形態において、実施形態１と同一の要素には同符号を付すなどして再度の説明を省略する。
【００６５】
送信端末１０１の演算処理手段は、前記実施形態１の機能に加えて、更新信号送信手段１５としても機能している。該更新信号送信手段１５は、前記認証情報を更新するための更新情報を前記認証装置に送信する。
【００６６】
また、認証装置１０２の演算処理手段は、前述の機能に加えて更新信号受信手段１６としても機能している。該更新信号送信手段１５は、送信端末から更新情報を受信し、認証情報登録手段３１に記憶している認証情報を更新する。
【００６７】
図６は、本実施形態のシステム１００による認証方法の説明図である。送信端末１０１からメッセージを送信して認証装置１０２に登録し、受信端末１０３からの要求に応じて該メッセージを提供する手順については、前記ステップ１〜９と同じである。この登録済みのメッセージＭ１と対応する認証情報Ｃ１を変更したい場合、メッセージ提供者は、送信端末１０１を操作し、メッセージを選択すると共に認証情報とする情報を選択する。これに応じて送信端末１０１は、更新信号送信手段１５が、選択されたメッセージ（本例ではＭ１）の認証情報を更新する旨の信号（更新信号）を認証装置１０２へ送信すると共に（Ｓ２１）、認証情報送信手段７が、前記選択された情報を新たな認証情報Ｃ１ａとして認証装置１０２へ送信する（Ｓ２２）。
【００６８】
認証装置１０２は、更新信号受信手段により前記更新信号を受信すると共に認証情報受信手段により新たな認証情報Ｃ１ａを受信し、該更新信号に基づきメッセージＭ１の認証情報Ｃ１を認証情報Ｃ１ａに更新する（Ｓ２３）。
【００６９】
従って、この更新後に以前の認証情報Ｅ１を受信した場合（Ｓ２４）には、認証失敗とし、新たな認証情報Ｃ１ａと一致する認証情報（図８の例ではＥ１ａ）を受信した場合（Ｓ２５）にのみ認証する。
【００７０】
このように本実施形態では、メッセージの登録後でも認証情報を変えることにより、認証するメッセージ要求者やセキュリティの程度を変更できる。この場合でも認証情報を選択により入力でき、容易に更新を行うことができる。
【００７１】
〈実施形態３〉
図７は、本発明に係る実施形態３の概略図である。本実施形態は、前述の実施形態２と比べ、受信端末から認証装置に送信した認証情報が不足していた場合に、認証情報の追加を該受信端末に要求する構成が異なっており、その他の構成は同じである。本実施形態において、実施形態２と同一の要素には同符号を付すなどして再度の説明を省略する。
【００７２】
認証装置１０２の演算処理手段は、前記実施形態２の機能に加えて、追加情報要求手段１８としても機能している。該追加情報要求手段１８は、前記受信端末１０３から受信した認証情報が不足していた場合に、該受信端末１０３に追加認証情報の要求を送信する。
【００７３】
また、受信端末１０３の演算処理手段は、前述の機能に加えて、追加要求受信手段１９としても機能している。該追加要求受信手段１９は、前記認証装置１０２から認証情報の追加要求を受信する。
【００７４】
図８は、本実施形態のシステム１００による認証方法の説明図である。送信端末１０１からメッセージを送信して認証装置１０２に登録し、受信端末１０３からメッセージの取得を要求する手順については、前記ステップ１〜９と同じである。
【００７５】
そして、ステップ３１において、認証装置１０２の認証手段１２が受信端末１０３から受信した認証情報Ｅ１と送信端末１０１から受信した認証情報Ｃ１ａとを比較し、認証情報Ｅ１が不足していた場合には、認証せずに該認証情報Ｅ１を認証情報バッファ１７に一時記憶させる（Ｓ３２）。この認証手段１２で認証情報が不足していると判断された場合（Ｓ３３）、追加情報要求手段１８が、該受信端末１０３に追加認証情報の要求を送信する（Ｓ３４）。
【００７６】
受信端末１０３の追加要求受信手段１９は、この追加要求を受信した場合、メッセージ表示手段３６に認証情報が不足している旨を表示し、メッセージ要求者に追加の認証情報の入力を促す。該メッセージ要求者が追加の認証情報とする基本情報の選択を行うと、受信端末１０３は、選択された基本情報を認証要求送信手段３３により基本情報記憶手段３２から読み出して追加の認証情報Ｅ１ａとして認証装置１０２に送信する（Ｓ３５）。
【００７７】
該追加の認証情報Ｅ１ａを受信した認証装置１０２は、認証手段１２により、前記認証情報Ｅ１に追加の認証情報Ｅ１ａを合わせて、再度認証情報Ｃ１ａと比較し、一致するまで前記追加要求を繰り返す。
【００７８】
そして前記認証情報Ｅ１＋Ｅ１ａと認証情報Ｃ１ａとが一致した場合には（Ｓ３６）、メッセージ（本例ではＭ３）を当該受信端末１０３に送信する（Ｓ３７）。
【００７９】
このように本実施形態では、受信端末からの認証情報が不足していた場合に、該認証情報をバッファに溜め置いて、不足分のみの追加を要求することにより、再度の認証要求を容易にしている。また、この場合でも追加の認証情報を選択により入力でき、容易に追加を行うことができる。
【００８０】
なお、上記実施形態では、送信端末１０１から認証情報として、「富士 太郎，090-1234-5678，fujitsu.taro@docomo.ne.jp，神奈川県川崎市光の１−２−３」のように、電話
帳の内容を送信する例を示したが、「名前：富士 太郎，電話番号：090-1234-5678，メール１：fujitsu.taro@docomo.ne.jp，住所：神奈川県川崎市光の１−２−３」のように項
目名と項目内容とを対応付けて認証装置１０２に送信しても良い。この例では、カンマで区切られたデータのうち、コロンの前が項目名、コロンの後ろが項目内容である。そして、認証装置１０２がこの項目名と項目内容を認証バッファ１７に記憶し、メッセージの要求を受けた受信端末１０３に対し、「名前？、電話番号？・・・」のように認証に必要な項目名を通知し、これに応じた項目内容の入力を促す構成でも良い。これにより例えば前記認証装置１０２は、受信端末１０３から受信した認証情報が不足していた場合、該受信端末１０３不足分の認証情報の項目名を示して入力を促すことができ、更に入力が容易になる。なお、この項目名の通知は、入力すべき項目の一部のみとしても良い。例えば、全ての項目が一致しない受信端末１０３に対しては認証失敗を通知し、名前と電話番号が一致した受信端末１０３に残りの項目名を示すなど、必要とするセキュリティの程度によって項目を表示する条件や項目を任意に設定できる。
【００８１】
〈実施形態４〉
図９は、本発明に係る実施形態４の概略図である。本実施形態は、前述の実施形態３と比べ、受信端末からのメッセージ要求が認証装置で認証されなかった場合に、メッセージ提供者に許可を要求する構成が異なっており、その他の構成は同じである。本実施形態に
おいて、実施形態１と同一の要素には同符号を付すなどして再度の説明を省略する。
【００８２】
受信端末１０３の演算処理手段は、前記実施形態３の機能に加えて、許可要求手段２２としても機能している。該許可要求手段２２としては、メッセージ取得の許可を直接送信端末１０１に要求する許可要求信号を認証装置１０２に送信する。また、受信端末１０３のタッチパネルは、該許可要求の操作を行うための許可要求操作手段２１も兼ねている。
【００８３】
認証装置１０２の演算処理手段は、前述の機能に加えて許可要求受信手段２３及び許可要求送信手段２４としても機能している。該許可要求受信手段２３は、受信端末１０３から受信した許可要求信号を許可要求送信手段２４に渡し、該許可要求送信手段２４は、この許可要求信号を送信端末１０１に転送する。
【００８４】
送信端末１０１の演算処理手段は、前述の機能に加えて、許可要求受信手段２５としても機能している。該許可要求受信手段２５は、前記許可要求信号を認証装置１０２から受信する。また、送信端末１０１のタッチパネルは、該許可要求信号を受信する許可要求表示手段２６を兼ねている。
【００８５】
図１０は、本実施形態のシステム１００による認証方法の説明図である。送信端末１０１からメッセージを送信して認証装置１０２に登録し、受信端末１０３からメッセージを要求するまでの手順については、前記ステップ１〜５と同じである。
【００８６】
そして、ステップ６において、受信端末１０３からの認証情報Ｅ１が送信端末１０１からの認証情報Ｃ１と一致しなかった場合、認証装置１０２の認証手段１２が受信端末１０３に認証失敗を通知する（Ｓ４０）。該通知を受けた受信端末１０３のメッセージ表示手段３６は、メッセージが取得できなかった旨を表示する。
【００８７】
これに応じメッセージ要求者が、許可要求操作手段２１を操作して、許可要求を行うと、受信手段１０３は、許可要求送信手段２２が許可要求信号を認証装置１０２に送信する（Ｓ４１）。このとき許可要求信号には、メッセージ要求時に用いる認証情報の候補となる情報を含める。例えば、メッセージ要求者が基本情報記憶手段３２から任意の情報を認証情報の候補として選択し、許可要求送信手段は、この認証情報の候補Ｅ２を許可要求信号に含める。
【００８８】
認証装置１０２は、この許可要求信号を許可要求受信手段２３で受信し（Ｓ４２）、許可要求送信手段２４により当該メッセージの提供元の受信端末１０１に転送する（Ｓ４３）。
【００８９】
送信端末１０１は、許可要求受信手段２５で受信した該許可要求信号に基づいて、前記認証情報の候補を許可要求表示手段２６に表示する。
【００９０】
メッセージ提供者は、表示された認証情報の候補を見てメッセージ取得を許可するか否かを判断し、データ選択操作手段５の操作して許可或は不許可を入力する。ここでメッセージ取得の許可が入力された場合、送信端末１０１は、当該メッセージの認証情報を前述のステップ２１〜２２と同様に更新する。即ち、更新信号送信手段１５が、許可されたメッセージＭ１の認証情報を更新する旨の信号（許可信号）を認証装置１０２へ送信すると共に（Ｓ２１）、認証情報送信手段７が、前記候補を新たな認証情報Ｃ１ａとして認証装置１０２へ送信する（Ｓ２２）。なお、認証情報の候補をそのまま新たな認証情報としても良いし、メッセージ提供者が他の情報を選択して認証情報を追加したり、前記候補の一部を削除したりといった前記候補の編集を行ったのちに新たな認証情報としても良い。
【００９１】
認証装置１０２は、更新信号受信手段により前記許可信号を受信すると共に認証情報受信手段により新たな認証情報Ｃ１ａを受信し、該許可信号に基づきメッセージＭ１の認証情報Ｃ１を認証情報Ｃ１ａに更新する（Ｓ２３）。また、認証装置１０２は、該許可された旨の信号（許可通知）を受信端末１０３へ送信する（Ｓ４４）。
【００９２】
該許可通知を受けた受信端末１０３は、前記認証情報の候補を認証情報Ｅ２として再度のメッセージ要求を行う（Ｓ４５）。
【００９３】
これに対し認証装置１０２は、認証手段１２で、更新後の認証情報Ｃ１ａと再要求時の該認証情報Ｅ１ａとを比較して（Ｓ４６）、一致すれば認証し、メッセージ送信手段２４によりメッセージＭ１を受信端末１０３に送信する（Ｓ４７）。なお、メッセージ提供者が前記認証情報の候補を編集したことで、認証情報Ｃ１ａに対し認証情報Ｅ２が不足していた場合には、前述の実施形態３と同様に認証装置１０２が受信端末１０３に対して不足分の認証情報を要求しても良い。
【００９４】
また、本実施形態では、受信端末１０３から新たな認証情報の候補を送信する構成としたが、これに限らず、単に許可を要求する旨の信号のみを受信端末から送信し、送信端末１０１から認証情報を入力する構成であっても良い。
【００９５】
以上のように、本実施形態によれば、受信端末からのメッセージ要求が認証装置で認証されなかった場合でも、メッセージ提供者に直接許可を要求することができる。これにより、メッセージ提供者が、メッセージ要求者について間違った情報や古い情報を電話帳に登録していた場合でも、認証情報を更新して適正に認証を行うことができる。
【００９６】
〈その他〉
本発明は、上述の図示例にのみ限定されるものではなく、本発明の要旨を逸脱しない範囲内において種々変更を加え得ることは勿論である。
【００９７】
例えば、以下に付記した構成であっても上述の実施形態と同様の効果が得られる。また、これらの構成要素は可能な限り組み合わせることができる。
【００９８】
（付記１）
通信回線を介して接続する、送信端末、受信端末、認証装置を有する認証システムであって、
前記送信端末が、
前記認証装置にメッセージを送信して登録させるメッセージ送信手段と、
複数の情報を蓄積した情報蓄積手段と、
前記メッセージにアクセスするための認証情報として前記情報蓄積手段から任意の情報を選択する選択手段と、
前記認証情報を前記認証装置に送信する認証情報送信手段と、を備え、
前記認証装置が、
前記送信端末からメッセージを受信するメッセージ受信手段と、
前記送信端末から認証情報を受信する認証情報受信手段と、
該メッセージと該認証情報とを対応つけて登録する登録手段と、
前記受信端末から該メッセージを取得する旨の要求を受信する要求受信手段と、
前記受信端末から受信した認証情報と前記登録手段に登録された認証情報とに基づいて認証するか否かを決定する認証手段と、
該認証手段で認証された場合に、前記メッセージを当該受信端末へ送信するメッセージ送信手段と、を備え、
前記受信端末が、
前記メッセージの取得を要求するメッセージ要求手段と、
該メッセージを取得するための認証情報を認証装置に送信する認証情報送信手段と、
該認証装置メッセージを受信するメッセージ受信手段と、
を備えた認証システム。（１）
（付記２）
前記送信端末が、前記認証情報を更新するための更新情報を前記認証装置に送信する更新手段を備え、
前記認証装置が、前記登録手段に登録されている認証情報を前記更新情報に基づいて更新する更新手段を備えた付記１に記載の認証システム。
【００９９】
（付記３）
前記登録手段に登録した認証情報に対し、前記受信端末から受信した認証情報が不足している場合に、前記認証情報の追加を前記受信端末に要求する追加要求手段を前記認証装置が備えている付記１又は２に記載の認証システム。
【０１００】
（付記４）
前記受信端末が、許可要求信号を前記認証装置に送信する許可要求手段を備え、
前記送信端末が、前記許可要求信号を認証装置から受信する許可要求受信手段と、前記受信端末の認証を許可する許可信号を認証装置に送信する許可通知手段とを備え、
前記認証装置が、前記受信端末からの許可要求信号を送信端末に転送する許可要求転送手段を備え、前記認証手段が前記送信端末から許可信号を受信した場合に前記受信端末によるメッセージの取得を認証する付記１から３の何れかに記載の認証システム。
【０１０１】
（付記５）
前記送信端末が、前記情報蓄積手段に複数項目の情報を蓄積し、該情報として項目名と項目内容を有し、前記認証情報送信手段が前記認証情報として少なくとも該項目名を認証装置に送信し、
前記認証装置が、前記項目名に基づいて前記受信端末に認証情報を要求する認証情報要求手段を備えた付記１から４の何れかに記載の認証システム。
【０１０２】
（付記６）
通信回線を介して認証装置と接続する送信端末であって、
前記認証装置にメッセージを送信して登録させるメッセージ送信手段と、
複数の情報を蓄積した情報蓄積手段と、
前記メッセージにアクセスするための認証情報として前記情報蓄積手段から任意の情報を選択する選択手段と、
前記認証情報を前記認証装置に送信する認証情報送信手段と、
を備えた送信端末。（２）
（付記７）
前記認証情報を更新するための更新情報を前記認証装置に送信する更新手段を備えた付記６に記載の送信端末。
【０１０３】
（付記８）
前記認証装置からメッセージの取得を要求する受信端末に対し、メッセージ取得についての認証の許可を要求する許可要求信号を前記認証装置から受信する許可要求受信手段と、前記受信端末の認証を許可する許可信号を前記認証装置に送信する許可通知手段とを備えた付記６又は７に記載の送信端末。
【０１０４】
（付記９）
前記情報蓄積手段が、複数項目の情報を蓄積し、該情報として項目名と項目内容を有し
、前記認証情報送信手段が、前記認証情報として少なくとも該項目名を認証装置に送信する付記６から８の何れかに記載の送信端末。
【０１０５】
（付記１０）
通信回線を介し、送信端末及び受信端末と接続する認証装置であって、
前記送信端末からメッセージを受信するメッセージ受信手段と、
前記送信端末から認証情報を受信する認証情報受信手段と、
該メッセージを該認証情報と対応つけて登録する登録手段と、
前記受信端末から該メッセージを取得する旨の要求を受信する要求受信手段と、
前記受信端末から受信した認証情報と前記登録手段に登録された認証情報とに基づいて認証するか否かを決定する認証手段と、
該認証手段で認証された場合に、前記メッセージを当該受信端末へ送信するメッセージ送信手段と、
を備えた認証装置。（３）
（付記１１）
前記認証情報を更新するための更新情報を前記送信端末から受信した場合に、前記登録手段に登録されている認証情報を前記更新情報に基づいて更新する更新手段を備えた付記１０に記載の認証装置。
【０１０６】
（付記１２）
前記登録手段に登録した認証情報に対し、前記受信端末から受信した認証情報が不足している場合に、前記認証情報の追加を前記受信端末に要求する追加要求手段を備えている付記１０又は１１に記載の認証装置。
【０１０７】
（付記１３）
前記受信端末から許可要求信号を受信した場合に、該許可要求信号を送信端末に転送する許可要求転送手段を備え、
前記送信端末から、前記受信端末の認証を許可する許可信号を受信した場合に、前記認証手段が前記受信端末によるメッセージの取得を認証する付記１０から１２の何れかに記載の認証装置。
【０１０８】
（付記１４）
前記送信端末から前記認証情報として少なくとも項目名を受信した場合に、前記項目名に基づいて前記受信端末に認証情報を要求する認証情報要求手段を備えた付記１０から１３の何れかに記載の認証装置。
【０１０９】
（付記１５）
通信回線を介して送信端末及び受信端末と接続する認証装置が実行する方法であって、
前記送信端末からメッセージを受信するステップと、
前記送信端末から認証情報を受信するステップと、
該メッセージを該認証情報と対応つけて登録するステップと、
前記受信端末から該メッセージを取得する旨の要求を受信するステップと、
前記受信端末から受信した認証情報と前記登録した認証情報とに基づいて認証するか否かを決定するステップと、
該認証をした場合に、前記メッセージを当該受信端末へ送信するステップと、
を含む認証方法。（４）
（付記１６）
前記認証情報を更新するための更新情報を前記送信端末から受信した場合に、前記登録されている認証情報を前記更新情報に基づいて更新する付記１５に記載の認証方法。
【０１１０】
（付記１７）
前記登録した認証情報に対し、前記受信端末から受信した認証情報が不足している場合に、前記認証情報の追加を前記受信端末に要求する付記１５又は１６に記載の認証方法。
【０１１１】
（付記１８）
前記受信端末から許可要求信号を受信した場合に、該許可要求信号を送信端末に転送し、
前記送信端末から、前記受信端末の認証を許可する許可信号を受信した場合に、前記認証手段が前記受信端末によるメッセージの取得を認証する付記１５から１７の何れかに記載の認証方法。
【０１１２】
（付記１９）
前記送信端末から前記認証情報として少なくとも項目名を受信した場合に、前記項目名に基づいて前記受信端末に認証情報を要求する付記１５から１８の何れかに記載の認証方法。
【０１１３】
（付記２０）
通信回線を介して送信端末及び受信端末と接続する認証装置が実行するプログラムであって、
前記送信端末からメッセージを受信するステップと、
前記送信端末から認証情報を受信するステップと、
該メッセージを該認証情報と対応つけて登録するステップと、
前記受信端末から該メッセージを取得する旨の要求を受信するステップと、
前記受信端末から受信した認証情報と前記登録した認証情報とに基づいて認証するか否かを決定するステップと、
該認証をした場合に、前記メッセージを当該受信端末へ送信するステップと、
を含む認証プログラム。（５）
（付記２１）
前記認証情報を更新するための更新情報を前記送信端末から受信した場合に、前記登録されている認証情報を前記更新情報に基づいて更新する付記２０に記載の認証プログラム。
【０１１４】
（付記２２）
前記登録した認証情報に対し、前記受信端末から受信した認証情報が不足している場合に、前記認証情報の追加を前記受信端末に要求する付記２０又は２１に記載の認証プログラム。
【０１１５】
（付記２３）
前記受信端末から許可要求信号を受信した場合に、該許可要求信号を送信端末に転送し、
前記送信端末から、前記受信端末の認証を許可する許可信号を受信した場合に、前記認証手段が前記受信端末によるメッセージの取得を認証する付記２０から２２の何れかに記載の認証プログラム。
【０１１６】
（付記２４）
前記送信端末から前記認証情報として少なくとも項目名を受信した場合に、前記項目名に基づいて前記受信端末に認証情報を要求する付記２０から２３の何れかに記載の認証プログラム。
【図面の簡単な説明】
【０１１７】
【図１】本発明に係る認証システムの概要図
【図２】本発明に係る実施形態１の認証システムの概略構成図
【図３】本発明に係る実施形態１の認証方法の説明図
【図４】電話帳データの一例を示す図
【図５】本発明に係る実施形態２の認証システムの概略構成図
【図６】本発明に係る実施形態２の認証方法の説明図
【図７】本発明に係る実施形態３の認証システムの概略構成図
【図８】本発明に係る実施形態３の認証方法の説明図
【図９】本発明に係る実施形態４の認証システムの概略構成図
【図１０】本発明に係る実施形態４の認証方法の説明図
【符号の説明】
【０１１８】
１００  認証システム
１０１  送信端末
１０２  認証装置
１０３  受信端末
【図１】
2007049343.tif 000003
【図２】
2007049343.tif 000004
【図３】
2007049343.tif 000005
【図４】
2007049343.tif 000006
【図５】
2007049343.tif 000007
【図６】
2007049343.tif 000008
【図７】
2007049343.tif 000009
【図８】
2007049343.tif 000010
【図９】
2007049343.tif 000011
【図１０】
2007049343.tif 000012